(57)【要約】本発明の絆創膏（１）は、基材（２０）と、粘着剤層（３０）と、剥離材層（４０）とを有し、絆創膏の長手方向（Ｌ）に延びる２つの端部（１１，１２）が平行な部分（１１ａ，１２ａ）を有し、２つの端部（１１，１２）の一方の長さが他方よりも長く、かつ２つの端部（１１，１２）の両端が別の２つの端部（１３，１４）の両端と接続されており、長手方向（Ｌ）に延びる２つの端部のうちの長い方の端部（１１）と、別の２つの端部（１３，１４）の各々とがなす２つの角（α）が鋭角である。
2017130838.tif 000002
【特許請求の範囲】
【請求項１】
基材層と、粘着剤層と、剥離材層とを有する絆創膏であって、絆創膏の長手方向に延びる２つの端部が平行な部分を有し、前記２つの端部の一方の長さが他方よりも長く、かつ前記２つの端部の両端が、別の２つの端部の両端と接続されており、前記長手方向に延びる２つの端部のうちの長い方の端部と、別の２つの端部の各々とがなす２つの角が鋭角である絆創膏。
【請求項２】
長手方向に延びる２つの端部のうちの長い方の端部が、絆創膏の内方に向かう凹部を有する請求項１に記載の絆創膏。
【請求項３】
絆創膏の長手方向に垂直な中心軸に関して対称な形である請求項１又は２に記載の絆創膏。
【請求項４】
剥離材層が前記中心軸と平行かつ中心軸と等距離隔てた２つのスリットで分離された３つの部分からなるか、もしくは前記中心軸上の１つのスリットで分離された２つの部分からなる請求項３に記載の絆創膏。
【請求項５】
爪周囲の炎症の予防及び／又は処置用の絆創膏である請求項１〜４のいずれか一項に記載の絆創膏。
【請求項６】
請求項１〜５のいずれか一項に記載の絆創膏と、患部の様子を記録するチェックシートとを備えた爪囲炎を手当てするためのキット。
【請求項７】
保湿剤と、綿棒と、保護材とをさらに備える請求項６に記載のキット。
【請求項８】
前記別の２つ端部の全長又は両端を除く部分全体が略直線状である請求項１〜７のいずれか一項に記載の絆創膏。
【請求項９】
前記別の２つ端部の長さが０．８〜３ｃｍである請求項１〜８のいずれか一項に記載の絆創膏。
【請求項１０】
長手方向に延びる２つの端部のうちの短い方の端部の全長又は両端を除く部分全体が略直線状である請求項１〜９のいずれか一項に記載の絆創膏。 
【発明の詳細な説明】
【技術分野】
【０００１】（関連出願の相互参照）  本願は、2016年1月29日に出願した特願2016-015954号明細書の優先権の利益を主張するものであり、当該明細書はその全体が参照により本明細書中に援用される。（技術分野）  本発明は、絆創膏に関する。
【背景技術】
【０００２】  抗がん剤の副作用である爪囲炎（爪周囲炎とも言う）の患者が増加している。爪囲炎は、手足の爪の周囲の皮膚に起きる炎症であり、爪の周囲の皮膚に発赤又は腫れが生じ、しばしば痛みを伴う。従来は、爪等の周囲組織への圧迫を緩和し、炎症の重症化を予防及び疼痛を緩和するために、市販のテーピング材を爪の周囲に巻き付けて使用していたが（非特許文献１）、この場合、医師、看護師、患者本人等の使用者が様々な種類の市販品の中からテーピング材を選定し、さらにその都度適切な大きさにカットして使用しなければならず煩雑であった。そのため、特に外来通院の患者では、自宅等でのテーピングが継続できず、爪囲炎が重症化する原因となっていた。
【先行技術文献】
【非特許文献】
【０００３】
【非特許文献１】医学のあゆみ vol.241 No.8 p.588-592(2012)
【発明の概要】
【発明が解決しようとする課題】
【０００４】  本発明の目的は、爪周囲の炎症の予防及び／又は処置を簡便かつ効果的に行える絆創膏を提供することである。
【課題を解決するための手段】
【０００５】  本発明者らは、上記の目的を達成すべく、特定の形状を有する絆創膏が、爪周囲の炎症の予防及び／又は処置に有用であることを見出し、本発明を完成するに至った。【０００６】  すなわち、本発明は以下の通りである。項１．基材層と、粘着剤層と、剥離材層とを有する絆創膏であって、絆創膏の長手方向に延びる２つの端部が平行な部分を有し、前記２つの端部の一方の長さが他方よりも長く、かつ前記２つの端部の両端が、別の２つの端部の両端と接続されており、前記長手方向に延びる２つの端部のうちの長い方の端部と、別の２つの端部の各々とがなす２つの角が鋭角である絆創膏。項２．長手方向に延びる２つの端部のうちの長い方の端部が、絆創膏の内方に向かう凹部を有する項１に記載の絆創膏。項３．絆創膏の長手方向に垂直な中心軸に関して対称な形である項１又は２に記載の絆創膏。項４．剥離材層が前記中心軸と平行かつ中心軸と等距離隔てた２つのスリットで分離された３つの部分からなるか、もしくは前記中心軸上の１つのスリットで分離された２つの部分からなる項３に記載の絆創膏。項５．爪周囲の炎症の予防及び／又は処置用の絆創膏である項１〜４のいずれか一項に記載の絆創膏。項６．項１〜５のいずれか一項に記載の絆創膏と、患部の様子を記録するチェックシートとを備えた爪囲炎を手当てするためのキット。項７．保湿剤と、綿棒と、保護材とをさらに備える項６に記載のキット。項８．前記別の２つ端部の全長又は両端を除く部分全体が略直線状である項１〜７のいずれか一項に記載の絆創膏。項９．前記別の２つ端部の長さが０．８〜３ｃｍである項１〜８のいずれか一項に記載の絆創膏。項１０．長手方向に延びる２つの端部のうちの短い方の端部の全長又は両端を除く部分全体が略直線状である項１〜９のいずれか一項に記載の絆創膏。
【発明の効果】
【０００７】  本発明によれば、患部、特に爪周囲の患部の炎症の予防及び／又は処置を簡便かつ効果的に行うことが可能となる。
【図面の簡単な説明】
【０００８】
【図１】（Ａ）本発明の第１実施形態の絆創膏の平面図、（Ｂ）図１（Ａ）の絆創膏の１Ｂ−１Ｂ線における断面図。
【図２】（Ａ）図１Ａの絆創膏の使用状態を示す略図、（Ｂ）図２（Ａ）を指の腹側から見た略図。
【図３】本発明の第２実施形態の絆創膏の平面図。
【図４】本発明の第３実施形態の絆創膏の平面図。
【図５】本発明の第４実施形態の絆創膏の平面図。
【図６】本発明の第５実施形態の絆創膏の平面図。
【図７】本発明の第６実施形態の絆創膏の平面図。
【図８】本発明の第７実施形態の絆創膏の平面図。
【図９】本発明の別例の絆創膏の断面図。
【図１０】チェックシートの例。
【発明を実施するための形態】
【０００９】  本明細書において、「予防及び／又は処置」は、予防、処置、又は予防及び処置の両方を指すものとする。
【００１０】  本発明の第１実施形態の絆創膏を図１（Ａ），（Ｂ）及び図２（Ａ），（Ｂ）を参照しながら説明する。
【００１１】  図１（Ａ）は本発明の第１実施形態の絆創膏１の平面図であり、図１（Ｂ）は図１（Ａ）の絆創膏の１Ｂ−１Ｂ線における断面図である。
【００１２】  図１（Ｂ）に示すように、第１実施形態の絆創膏１は、基材層２０と、粘着剤層３０と、剥離材層４０とを有し、具体的には基材２０の一方の面に粘着剤層３０を介して剥離材層４０が剥離可能に積層されて構成されたテープである。
【００１３】  図１（Ａ）に示すように、第１実施形態の絆創膏１は、第１の組である絆創膏１の長手方向に延びる上端部１１及び下端部１２と、第２の組である左端部１３及び右端部１４とを有し、上端部１１及び下端部１２がそれぞれ、略直線状の互いに平行な部分１１ａ，１２ａを有し、上端部１１及び下端部１２の両端が略直線状の左端部１３及び右端部１４の両端とそれぞれ接続されている。
【００１４】  上端部１１の長さは下端部１２の長さよりも長く、上端部１１は左端部１３及び右端部１４と角度αをなして接続し、左端部１３及び右端部１４は上端部１１と接続する端部とは反対側の端部で下端部１２と接続している。
【００１５】  絆創膏１は、長手方向に垂直な中心軸Ａｘに関して左右対称な形をしている。つまり、絆創膏１は、絆創膏１の長手方向の中心面に対して左右に対称な形をしている。αは鋭角であり、通常３０°以上、９０°未満である。また上端部１１には絆創膏の内方に向かう湾曲する凹部１５が設けられている。本実施形態では、凹部１５は平面視で円弧を描くよう形成されており、好ましくはＲ＝３５〜１３７ｍｍ、θ＝２５〜９０°である。凹部１５は後述するように、絆創膏１の患者の指への装着性を高めるように機能する。
【００１６】  絆創膏１の長さＬは特に限定されないが、好ましくは４〜８ｃｍである。絆創膏１の幅Ｗは特に限定されないが、好ましくは０．５〜２．５ｃｍである。長さＬ対幅Ｗの比は特に限定されないが、好ましくは１０：１〜２：１である。上端部１１の長さは、好ましくは２〜８ｃｍであり、下端部１２の長さは、好ましくは１．５〜７．５ｃｍであり、左端部１３及び右端部１４の長さは、好ましくは０．８〜３ｃｍである。
【００１７】  基材層２０は、皮膚貼付時に違和感が少ないことから伸縮性を有することが好ましい。また、伸縮性を有するほうが皮膚に追従しやすく絆創膏１が剥がれにくい。また、爪囲炎の患部およびその周辺の絆創膏１による蒸れを予防するため、基材層２０は透湿性に優れていることが好ましい。
【００１８】  基材層２０を構成する材料としては、フィルム、不織布、綿布、編布、不織布とフィルムのラミネート複合体等の伸縮性を有する基材が挙げられる。これらの基材の材質としては、例えば、ポリエチレン、ポリプロピレン、ポリエチレンテレフタレート、ポリブチレンテレフタレート、ポリエチレンナフタレート、ポリスチレン、ポリアミド、ポリオレフィン、ナイロン、コットン、パルプ、アセテートレーヨン、レーヨン、レーヨン／ポリエチレンテレフタレート複合体、ポリアクリロニトリル、ポリビニルアルコール、アクリル系ポリウレタン、エステル系ポリウレタン、エーテル系ポリウレタン、スチレン−イソプレン−スチレン共重合体、スチレン−ブタジエン−スチレン共重合体、スチレン−エチレン−プロピレン−スチレン共重合体、エチレン−酢酸ビニル共重合体等の成分が挙げられる。
【００１９】  基材層２０には、当該技術分野で広く用いられている各種強度コントロール剤、無機粉体等の増量剤、染料、顔料等が配合されていてもよい。また、基材層２０は、一軸延伸、二軸延伸、無延伸の何れの方法で製造されたものでもよい。また、基材層２０は、一層だけでなく、異種又は同種の層を複数重ねた多層構造でもよい。
【００２０】  基材層２０の厚みは特に限定されないが、伸縮性及び透湿性を得やすいことから、１０００μｍ以下が好ましく、５００μｍ以下がより好ましく、３００μｍ以下がさらに好ましい。一方、強度が得やすいことから、基材層２０の厚みは１５μｍ以上が好ましく、２０μｍ以上がより好ましく、３０μｍ以上がさらに好ましい。
【００２１】  本実施形態の絆創膏１の粘着剤層３０は、基材層２０を被着体となる患部に貼着するための粘着剤で構成する。
【００２２】  粘着剤としては、ゴム系粘着剤、アクリル系粘着剤、シリコン系粘着剤、ハイドロコロイド等が挙げられる。基材層２０および被着体と粘着剤との密着性、粘着力を考慮して、粘着剤にイソシアネート系架橋剤、金属キレート系架橋剤、タッキファイヤー等を適宜添加してもよい。粘着剤成分の分子量を高く設定し、粘着剤の皮膚への浸透を抑制することが好ましい。
【００２３】  粘着剤を用いた粘着剤層３０の厚みは特に限定されない。透湿性を得るためには、１００μｍ以下が好ましく、７０μｍ以下がより好ましい。一方、必要な接着力を得るために、粘着剤層３０の厚みは１０μｍ以上が好ましく、２０μｍ以上がより好ましい。また、上記粘着剤層３０は、発泡糊を塗工して形成してもよく、塗工方法は、例えば点状、ストライプ状等の規則的なあるいはランダムなパターンに形成されていてもよい。
【００２４】  剥離材層４０には、絆創膏に使用されている公知の剥離材を使用できる。剥離材としては、紙、プラスチックフィルム等が挙げられる。剥離材層４０は剥離紙とも称される場合がある。
【００２５】  剥離材層４０は、使用時に剥離材層４０の剥離が容易となるように、スリットを有していてもよい。本実施形態では剥離材層４０は、絆創膏１の中心軸Ａｘと平行かつ中心軸Ａｘと等距離隔てた２つのスリット４１，４２で分離された３つの部分４３，４４，４５からなる。このため、スリット４１，４２の位置から、皮膚への剥離材層４０の貼付に合わせたタイミングで、別々に粘着剤層３０を露出させるよう３つの部分４３，４４，４５を剥離できる構成となっている。また、スリット４１，４２を有することで、貼付の際、粘着剤層３０に触れて粘着力が低下することを防ぐことができる。
【００２６】  次に、絆創膏１の使用方法について説明する。図２（Ａ）に示すように、患者の左手の親指５０の爪５１に隣接する皮膚の部位に爪囲炎の患部５２がある場合、まず、絆創膏１の剥離材層４０の部分４３を剥離して対応する粘着剤層３０の部分を露出させる（図１（Ａ）で剥離材層４０は平面視で下側にある状態）。このとき、スリット４１の位置から剥離材層４０の部分４３を剥離すると剥離しやすい。次に、剥離材層４０の部分４３において粘着剤層３０を露出させた絆創膏１の左端部１３を患部５２の側方の皮膚の部位に配置し、剥離材層４０の部分４４を剥離して対応する粘着剤層３０の部分を露出させ、爪５１と患部５２の間の圧迫を緩和するように絆創膏１を引っ張りながら、粘着剤層３０が皮膚に接触するようらせん状（斜め下方向）に絆創膏１を皮膚に貼付し、最後に剥離材層４０の部分４５を剥離して皮膚に貼付する。
【００２７】  図面では絆創膏１は親指５０の背側で第一関節と第二関節の間（基節骨の上）で、右端部１４にて終端している。上端部１１の長さは下端部１２の長さよりも長く、上端部１１が左端部１３および右端部１４に対して角度αをなすことにより、上端部１１の長さと下端部１２の長さが同じもしくは、上端部１１の長さが下端部１２の長さよりも短い場合と比較し、斜め下方向に絆創膏１が貼付しやすくなり、テープによる爪５１の側方の皮膚の圧迫を防止することができる。また、例えば、上端部１１と左端部１３の間のαが６０°〜８０°の場合、親指５０の背側で、第一関節と第二関節の間（基節骨の上）に右端部１４がくるため、指の可動域を制限しにくく、さらに患部５２の側方の皮膚の部位を適切な強さで引っ張ることができる。
【００２８】  図２（Ｂ）に示すように、親指５０を腹側から見た場合、絆創膏１の上端部１１が凹部１５を有するため、絆創膏１の上端部１１が略直線状である場合と比較して、親指５０の第一関節の上の指先の腹の部分５３の露出面積が広くなる。このため、作業量が多い指先の腹の感覚が損なわれ難く、仕事、家事、スマートフォン等の電子機器の操作等の作業性を良好に維持することができる。
【００２９】  また、絆創膏１は中心軸Ａｘに対して対称な形をしているため、仮に患部５２が爪５１の左側にある場合、絆創膏１の右端部１４を患部５２の側方の皮膚の部位に配置し、らせん状（斜め下方向）に絆創膏１を皮膚に貼付することで、爪５１と患部５２の間の圧迫を緩和するよう絆創膏１を貼付することができる。
【００３０】  次に、図３を参照しながら、本発明の第２実施形態の絆創膏について説明する。第１実施形態の絆創膏１と同一の構成要素については図１と同じ符号を付して、説明を省略する。また、以下、図３〜８の第２〜７実施形態では絆創膏２〜７を剥離材層４０が平面視で上側（紙面の手前側）にある状態で示している。
【００３１】  第２実施形態の絆創膏２は、上端部１１が凹部１５を有さず、上端部１１の全体が略直線状である点が第１実施形態の絆創膏１と異なっている。第２実施形態の絆創膏２では、絆創膏２の長手方向に延びる対向する上端部１１と下端部１２が平行であり、絆創膏２は等脚台形であり、上端部１１は略直線状の左端部１３および右端部１４と角度αをなして接続し、左端部１３および右端部１４は上端部１１と接続する端部とは反対側の端部で下端部１２と接続している。この構成でも、絆創膏２の左端部１３又は右端部１４を患者の患部５２の側方の皮膚の部位に配置し、らせん状（下方向）に絆創膏１を皮膚に貼付することで、爪５１と患部５２の間の圧迫を緩和するよう絆創膏１を貼付することができる。
【００３２】  次に、図４を参照しながら、本発明の第３実施形態の絆創膏について説明する。第１実施形態の絆創膏１と同一の構成要素については図１と同じ符号を付して、説明を省略する。
【００３３】  第３実施形態の絆創膏３は、絆創膏３の４つの角部１６が丸められている点が第１実施形態の絆創膏１と異なっている。上端部１１は、両端で略曲線状に丸められ、両端の間に、略直線状の平行な部分１１ａ、凹部１５、略直線状の平行な部分１１ａを連続して備えている。下端部１２は、丸められた略曲線状の両端を除き、略直線状の平行な部分１２ａからなる。左端部１３及び右端部１４の各々は、丸められた略曲線状の両端を除き、略直線状の部分１３ａ，１４ａからなる。各略直線状の平行な部分１１ａの長さは特に限定されないが、通常０．５〜２．５ｃｍである。略直線状の平行な部分１２ａの長さは特に限定されないが、通常３．０〜７．３ｃｍである。略直線状の部分１３ａ，１４ａの長さは特に限定されないが、通常０．４〜２．８ｃｍである。角部が丸められている場合、絆創膏３の皮膚への装着性および適合性が高まり、絆創膏３が皮膚からはがれ難くなる。この構成でも、第１実施形態および第２実施形態と同様に、爪５１の周囲の圧迫を緩和するよう絆創膏１を貼付することができる。
【００３４】  次に、図５を参照しながら、本発明の第４実施形態の絆創膏について説明する。第１実施形態の絆創膏１と同一の構成要素については図１と同じ符号を付して、説明を省略する。
【００３５】  第４実施形態の絆創膏４は、上端部１１の凹部１５の中央、つまり絆創膏１の長手方向に垂直な中心軸Ａｘ上の位置で、剥離材層４０がスリット４６を有し、剥離材層４０がスリット４６で分離された２つの部分４７，４８からなる点が第１実施形態の絆創膏１と異なっている。この構成でも、剥離材層４０はスリット４６の位置で部分４７から剥離することも部分４８から剥離することもできるので、患部５２が爪５１の左右のいずれに存在しても区別なく操作することができる。なお、第４の実施形態は、第１実施形態に比べて凹部１５が浅く、全体の寸法が小さいが、このような実施形態でも本発明の範囲に含まれる。
【００３６】  次に、図６を参照しながら、本発明の第５実施形態の絆創膏について説明する。第１実施形態の絆創膏１と同一の構成要素については図１と同じ符号を付して、説明を省略する。
【００３７】  第５実施形態の絆創膏５は、絆創膏５の長手方向に延びる２つの端部１１，１２のうちの長い方の端部である上端部１１の凹部１５のみならず、絆創膏５の長手方向に延びる２つの端部１１，１２のうちの短い方の端部である下端部１２も、絆創膏５の内方に向かう湾曲する凹部１７を有する。絆創膏５が下端部１２の側にも凹部１７を有することで、絆創膏５と患者の皮膚の接触面積を減らすことができる。この構成でも、上記第１〜４実施形態と同様に、爪５１の周囲の圧迫を緩和するよう絆創膏１を貼付することができる。
【００３８】  次に、図７を参照しながら、本発明の第６実施形態の絆創膏について説明する。第６実施形態の絆創膏６は図４の第３実施形態の絆創膏３の変形例である。第３実施形態の絆創膏３と同一の構成要素については図４と同じ符号を付して、説明を省略する。
【００３９】  第６実施形態の絆創膏６では、上端部１１と凹部１５との接続部１８が連続する略曲線になるように、さらに丸められている。
【００４０】  左端部１３の略直線状の部分１３ａの下端の終点１９と、下端部１２の略直線状の平行な部分１２ａの終点２０とを結ぶ曲線は任意に設定することができる。同様に、右端部１４の略直線状の部分１４ａの下端の終点２１と、下端部１２の略直線状の平行な部分１２ａの終点２２とを結ぶ曲線、左端部１３の略直線状の部分１３ａの上端の終点２３と、上端部１１の略直線状の平行な部分１１ａの終点２４とを結ぶ曲線、右端部１４の略直線状の部分１４ａの上端の終点２５と、上端部１１の略直線状の平行な部分１１ａの終点２６とを結ぶ曲線も任意に設定することができる。例えば、それぞれの曲線の曲率半径を１〜１０ｍｍとすることができる。
【００４１】  直線状の２つの端部の長さと、その間の丸められた角部１６の大きさとは任意に変更することができ、例えば、終点２３と終点２４の間の丸められた角部１６の、絆創膏６の長手方向の長さをｍ１、平行な部分１１ａの長さをｍ２とすると、ｍ１：ｍ２の長さの比を１：１〜１：２０程度としてもよい。また、丸められた角部１６の、絆創膏６の幅方向の長さをｎ１、左端部１３の略直線状の部分１３ａ（右端部１４の略直線状の部分１４ａ）の絆創膏６の幅方向における長さをｎ２とすると、ｎ１：ｎ２の長さの比は、１：１〜１：２０程度としてもよい。
【００４２】  次に、図８を参照しながら、本発明の第７実施形態の絆創膏について説明する。第７実施形態の絆創膏７も図４の第３実施形態の絆創膏３の変形例である。第３実施形態の絆創膏３と同一の構成要素については図４と同じ符号を付して、説明を省略する。
【００４３】  第７実施形態の絆創膏７では、上端部１１と凹部１５との接続部１８が連続する略曲線になるように丸められている。また、左端部１３の略直線状の部分１３ａの下端の終点１９と、下端部１２の略直線状の平行な部分１２ａの終点２０との間の曲線の長さが、図７の第６実施形態における当該曲線の長さよりもより大きく、左端部１３の略直線状の部分１３ａの上端の終点２３と、上端部１１の略直線状の平行な部分１１ａの終点２４との間の曲線の長さも、図７の第６実施形態における当該曲線の長さよりもより大きい。ｍ１：ｍ２の長さの比及びｎ１：ｎ２の長さの比の範囲は、図７の第６実施形態の絆創膏に関して説明した通りである。
【００４４】  ここまで、本発明を第１〜７実施形態を例にとって説明してきたが、本発明はこれに限られず、以下のような種々の変形が可能である。・凹部１５は、平面視で円弧の代わりに、平面視で放物線、双曲線等の別の曲線を描くように形成されてもよい。・上記の第１〜７実施形態では、基材２０、粘着剤層３０、および剥離材層４０が同一の大きさで示されているが、剥離材層４０が基材２０、粘着剤層３０よりも大きくてもよい。特に、剥離材層４０が端部１３および１４の外側に大きい場合、粘着剤層３０から剥離材層４０を剥がしやすく、また、貼付する際に剥離材層４０が邪魔になることもないため好ましい。・第３実施形態の絆創膏３、第６実施形態の絆創膏６、及び第７実施形態の絆創膏７の丸められた角部１６の構成は、第１，２，４，５実施形態の絆創膏１，２，４，５に適用されてもよいし、本願発明の範囲に包含される任意の絆創膏に適用されてもよい。また、４つのすべての角部１６が丸められていなくてもよく、１つ、２つ、又は３つの角部１６が丸められていてもよい。・上記の第１〜５実施形態の絆創膏でも、第６実施形態の絆創膏６及び第７の実施形態の絆創膏７と同様に、ある端部とそれに隣り合う端部との接続部がすべて連続する略曲面状であってもよい。ある端部とそれに隣り合う部との接続部の曲面の曲率は任意に変更することができる。
【００４５】・基材２０の上、基材２０と粘着層３０の間、ならびに粘着層３０と剥離材層４０の間には追加の層が設けられていてもよい。・図９に示すように、粘着層３０を絆創膏１の長手方向の中央部分に設けないようにしてもよい。この構成によれば、絆創膏１を皮膚に貼り付けるときに基材２０により皮膚をより引っ張り易くすることができる。・剥離材層４０にスリット４１，４２，４６と類似のスリットが設けられてもよいし、スリット４１，４２，４６を省略してもよい。・３枚の剥離材層の部分４３，４４，４５又は２枚の剥離材層の部分４７，４８が、端部同士が重なり合うようにして粘着剤層３０に積層された構成としてもよい。・剥離材層４０のスリットは完全に分断されていなくても良い。例えば、点線であっても、１箇所あるいは複数個所を残してある形態でもよい。・上記第１〜７実施形態では爪囲炎の手当てすなわちケアに関して説明したが、爪周囲の炎症を予防及び／又は処置するための目的で使用することができ、特には爪周囲の炎症の重症化予防及び／又は疼痛緩和用の絆創膏として使用することができる。また、爪囲炎以外に、例えば巻き爪の手当等、爪５１の周囲の症状を予防／処置するための目的で使用されてもよい。・第１〜７実施形態の絆創膏１〜７および変形例の絆創膏を含む本発明の絆創膏は、炎症の手当てに限らず、爪から皮膚を遠ざける目的で使用されても良い。例えば、爪溝近辺に薬剤を塗布する際に使用しても良い。・図２（Ａ）（Ｂ）では親指を示したが、本発明の絆創膏は、手の人差し指、中指、薬指、および／又は小指に適用されてもよいし、足の五指の少なくともいずれかに適用されてもよい。
【００４６】  本発明は、上記の第１〜７実施形態の絆創膏１〜７および変形例の絆創膏を含む本発明の絆創膏と、爪囲炎の予防及び／又は処置を適切に実施するための説明書および患部の様子を確認するチェックシートとの少なくとも一方を備えた爪囲炎を手当てするためのキットを含む。説明書の内容は、図１の第１実施形態の絆創膏１の使用方法に関して示したものと同様の内容である。例えば説明書は、本発明の絆創膏の剥離剤層４０を剥離すること、該絆創膏を患部の側方の皮膚の部位に配置すること、および該絆創膏を指にらせん状に貼付することの指示を含む。患部の様子を記録するチェックシートとは、患部の様子を日々記録し、患部の様子を患者や家族等が簡単に確認できるチェックシートである。
【００４７】  一つの実施形態では、上記爪囲炎を手当てするためのキットは、本発明の絆創膏と、爪囲炎の予防及び／又は処置を適切に実施するための説明書および患部の様子を記録するチェックシートの少なくとも一方と、保湿剤を入れた容器と、綿棒と、指用の包帯、指サック等の保護材とを備えている。また、ハイドロコロイド等の別の絆創膏又は別のテープ材をキットに含めても良い。別の絆創膏は、患部に傷がある場合に部分的に貼付、あるいは、本発明の絆創膏の貼付後に全体を覆う形で貼付してもよい。
【００４８】  保湿剤は公知の保湿剤を使用することができ、例えばヒルドイド（登録商標）ローション、白色ワセリン等が挙げられる。指用の包帯、防水指サック等の保護材は、絆創膏を皮膚に貼付した後に患部を含む指の部分の周囲を保護するために用いられるものである。キット中の絆創膏、保湿剤、綿棒、及び包帯、防水指サック等の保護材の分量は、例えば３０日分であれば３０個の絆創膏、３０日分の量の保湿剤、綿棒３０本、及び３０日分の保護材というように、使用者が用いる期間に合わせて設定することができる。
【００４９】  図１０に患部の様子を記録するチェックシートの例を示す。チェックシート１００には、日付を記入する欄１０１と、患部の観察結果に関する項目１０２と、セルフケアに関する項目１０３とが含まれる。日付を記入する欄１０１は、この例では月曜日から日曜日までの一週間が一行に示されているが、形式は特に限定されず、例えば患部の様子を記録した日付を空欄に記入する形式であってもよいし、一月の最初の日付から最後の日付までが縦の列に並んだ形式であってもよい。
【００５０】  患部の観察結果に関する項目１０２としては、爪周囲の痛みの有無、爪周囲の腫れの有無、皮膚のひび割れ、皮膚の痒み、その他の皮膚に関する所見等が挙げられる。患部の観察結果に関する項目は、患部の状態の記述、患部の状態の程度による記述、患部の状態を段階別にした場合の数値による記述等であってよい。
【００５１】  セルフケアに関する項目１０３としては、患部の洗浄の有無、保湿の有無、本発明の絆創膏によるテーピング、その他のセルフケア等が挙げられる。洗浄の有無は、例えば弱酸性の洗浄剤又は低刺激性の洗浄剤で１日に所定回数以上（例えば１回以上）患部を洗浄したか否かで判断する。洗浄剤の種類及び洗浄の回数は変更可能である。保湿の有無は、保湿剤で１日に所定回数以上（例えば５回以上）患部を保湿したか否かで判断する。保湿剤はキットに付属の保湿剤であることが好ましいが、患部の予防及び／又は処置に適した他の保湿剤であってもよい場合もある。保湿剤の種類や、保湿の回数は変更可能である。本発明の絆創膏によるテーピングの有無は、テーピングを所定期間に所定回数以上（例えば１日１回）交換したか否かで判断する。
【００５２】  爪周囲炎は、医療従事者が日々患部の様子を確認できず、外来受診時には重症化しているケースがある。本発明のキットには、患者や家族等が自宅等で爪囲炎の予防及び／又は処置を適切に実施するための説明書や日々の患部の様子を患者や家族等が簡単に確認できるチェックシートが備わっていることにより、患部の重症化を予防したり、患部が悪化した場合には、医療従事者に早期にかつスムーズに患部の様子を報告することができる。 
【図１】
2017130838.tif 000003
【図２】
2017130838.tif 000004
【図３】
2017130838.tif 000005
【図４】
2017130838.tif 000006
【図５】
2017130838.tif 000007
【図６】
2017130838.tif 000008
【図７】
2017130838.tif 000009
【図８】
2017130838.tif 000010
【図９】
2017130838.tif 000011
【図１０】
2017130838.tif 000012
【国際調査報告】
2017130838.tif 000013
2017130838.tif 000014
2017130838.tif 000015
2017130838.tif 000016